(57)【特許請求の範囲】
【請求項１】
天然の丸太において、キツツキ類が自身で出入口を掘れるように出入口無しの壁部を残し、内部をくり抜いて空洞を形成してなることを特徴とする人工営巣木。
【請求項２】
前記の空洞の内部に中詰め材を詰め込んでなることを特徴とする請求項１に記載の人工営巣木。
【請求項３】
前記の空洞部の壁部に、キツツキ類が出入口を掘り易いような薄肉部と強度保持のための厚肉部を設けてなることを特徴とする請求項１または請求項２に記載の人工営巣木。
【請求項４】
前記のように空洞が形成された丸太が、生育している樹木の幹または枝の所定の高さに連結固定されていることを特徴とする請求項１、請求項２または請求項３に記載の人工営巣木。
【請求項５】
天然の丸太を二つ割りにした状態で内部をくり抜いて空洞を形成し、その内部に中詰め材を詰め込んだ後、元の丸太状に戻し一体化することを特徴とする人工営巣木の製造方法。
【発明の詳細な説明】
【０００１】
【産業上の利用分野】
本発明は、キツツキ類が営巣し易いようにした人工営巣木とその製造方法に関する。
【０００２】
キツツキの一種であるノグチゲラの保全対策としては、営巣可能な自然度の高い森林を広域に確保していくことが第一に求められるが、自然度の高い森林の形成には長時間を要するため、その間の効果的な代替策が必要となる。
【０００３】
ノグチゲラの人工営巣木は、その一手段として、現在ある中小径木林（若齢林）がノグチゲラの生息に適した森林環境に成長するまでのつなぎとしての役割である人工営巣木、すなわち失われた生息環境を一時的に代償し、個体群への影響を低減する緊急避難的な役割を期待するものである。
【０００４】
【従来の技術と発明が解決しようとする課題】
ノグチゲラなどのようなキツツキ類の保護や繁殖を図るために、特開平８−２５６６２５号公報などに記載のような初めから出入口を有する巣箱を用いると、他の鳥が先に横取りして利用する恐れがある。その結果、キツツキ類は利用できないことも発生する。
【０００５】
このような理由から、天然の立木にキツツキ類が営巣する場合と同様な条件を人工的に整えてやる必要がある。つまり、キツツキ類自身が出入口を掘れるようにしてあれば、他の鳥に横取りされる恐れはない。
【０００６】
本発明の技術的課題は、このような問題に着目し、キツツキ類が自身で出入口を掘れるようにした人工の営巣木を実現することにある。
【０００７】
【課題を解決するための手段】
本発明の技術的課題は次のような手段によって解決される。請求項１は、天然の丸太において、キツツキ類が自身で出入口を掘れるように出入口無しの壁部を残し、内部をくり抜いて空洞を形成してなることを特徴とする人工営巣木である。
【０００８】
このように、天然の丸太において、キツツキ類が自身で出入口を掘れるように出入口無しの壁部を残し、内部をくり抜いて空洞を形成してあると、外部と内部の空洞との間は、天然木と同じ材質の壁部になっているので、キツツキ類は、自身で出入口を掘ることになる。したがって、従来の巣箱のように、他の鳥が横取りして営巣するのを防止できる。なお、空洞の中にキツツキ類が自ら産座を形成し営巣できる。
【０００９】
請求項２は、前記の空洞の内部に中詰め材を詰め込んでなる人工営巣木である。このように、空洞の内部に予め中詰め材を詰め込んであると、自然の営巣木の内部の腐朽部を掘り出すような要領で中詰め材を掘り出して巣孔を作れるので、キツツキ類の習性に合致した人工営巣木となり、キツツキ類の本能を阻害する恐れもない。
【００１０】
請求項３は、請求項１または請求項２に記載の空洞部の壁部に、キツツキ類が出入口を掘り易いような薄肉部と強度保持のための厚肉部を設けてなる人工営巣木である。
【００１１】
このように、前記の空洞部の壁部に、キツツキ類が出入口を掘り易いような薄肉部と強度保持のための厚肉部を設けてあるので、キツツキ類はその本能によって、掘りやすい薄肉部を見つけて、容易に出入口を掘ることができる。また、壁部が薄肉部だけだと、経時的に劣化して強度が低下し、短寿命となるが、厚肉部もあるので、強度が保持され、長期間の使用に耐えうる。
【００１２】
請求項４は、請求項１、請求項２または請求項３に記載のように空洞部が形成された丸太が、生育している樹木の幹または枝の所定の高さに連結固定されている人工営巣木である。
【００１３】
このように、空洞部が形成された丸太が、生育している樹木の幹または枝の所定の高さに縛りつけて固定されている人工営巣木によると、キツツキ類にとって、人工営巣木が自然環境により近い状況で設置されているため、キツツキ類の保護と自然繁殖が効果的に実現できる。
【００１４】
請求項５は、天然の丸太を二つ割りにした状態で内部をくり抜いて空洞を形成し、その内部に中詰め材を詰め込んだ後、元の丸太状に戻し一体化することを特徴とする人工営巣木の製造方法である。
【００１５】
このように、天然の丸太を二つ割りにした状態で内部をくり抜いて空洞を形成し、その内部に中詰め材を詰め込んだ後、元の丸太状に戻し一体化する方法によると、まず天然の丸太を二つ割りにするので、内部をくり抜いて空洞を形成したり、その内部に中詰め材を詰め込む作業が容易に行なえる。そして、貼り合わせて元の丸太の状態にするので、中詰め材の入った丸太状の人工営巣木を容易に製造できる。
【００１６】
【発明の実施の形態】
次に本発明による人工営巣木とその製造方法が実際上どのように具体化されるか実施形態を説明する。図１は本発明による人工営巣木の使用状態を示す図であり、１は生育している立木である。この立木１に、本発明による人工営巣木２を沿わせて針金３などで縛りつけてある。この人工営巣木２は、天然の丸太からなっている。
【００１７】
図２は前記の人工営巣木の詳細を示す図で、（１）は縦断面図、（２）は水平断面図である。この人工営巣木２は、天然の丸太４の上端と下端の間の内部をくり抜いて空洞５を形成、その内部に、天然木の内部の腐朽部に代わるような中詰め材６を詰め込んである。
【００１８】
キツツキ類が営巣する天然の営巣木の内部は腐朽していて、キツツキ類が容易に掘り出して巣孔を形成できるようになっている。したがって、本発明の人工営巣木２は、このような天然の腐朽部に代わる中詰め材６を予め詰め込んである。
【００１９】
しかしながら、中詰め材６は詰め込まないで、空洞部５のみを形成しておけば、キツツキ類が自ら産座を形成し営巣することも可能である。このような場合を想定して、中詰め材６を詰め込まない状態で人工営巣木とすることもできる。
【００２０】
中詰め材６としては、キツツキ類が掘り出し易いような発泡スチロール、バルサ、削り屑、チップ類などが適している。特に、バルサやチップ類が好適である。
【００２１】
丸太４の外面と空洞部５との間には、天然の木質からなる壁部が残っているが、この壁部は、薄肉部ｔ１と厚肉部ｔ２を有している。すなわち、薄肉部ｔ１は、キツツキ類が出入口を掘り易いようにするためである。また、全体が薄肉部だと、経時的に劣化して強度が低下し、人工営巣木２自体の寿命が短かい。そこで、厚肉部ｔ２も設けて強度を保持し、長期の使用に耐えうるようにしてある。
【００２２】
この人工営巣木２の太さは、約２０ｃｍ程度が適しており、空洞部５の内径は１５ｃｍ程度が適している。そして、薄肉部ｔ１の肉厚は１ｃｍ程度が適しており、厚肉部ｔ２の肉厚は３ｃｍ程度が適している。しかしながら、これらの寸法に限定されるものではない。
【００２３】
また、中詰め材６が入っている空洞部５の全長は、２０〜７０ｃｍ程度が適している。空洞部５を含む丸太４の全長は、１００ｃｍ程度でもよく、もっと長くてもよい。例えば、１５０ｃｍ程度でもよい。
【００２４】
図３は、この人工営巣木２の製造方法を示す図であり、（１）は平面図、（２）は（１）図におけるＡ−Ａ断面図である。
【００２５】
４１、４２は天然の丸太を縦に二つ割りにしたものである。このように二つ割りにした状態で、チョウナやノミなどの道具を用い、内部をくり抜いて空洞５１、５２を形成する。このとき、薄肉の部分ｔ１を形成したり、厚肉の部分ｔ２を形成する。次いで、それぞれの空洞部５１、５２に、前記のような中詰め材を詰め込む。
【００２６】
このように中詰め材を詰め込んだ状態で、二つ割りされた両方の半円柱状体４１、４２を貼り合わせて一体化すると、図２のように、元の丸太状の人工営巣木２となる。
【００２７】
貼り合わせるとは言っても、必ずしも接着材で貼り合わせる必要はなく、針金やロープなどで結束し、分離しないようにすれば足りる。
【００２８】
なお、二つ割りにする製法は一例であって、丸太を５０〜７０ｃｍ程度の長さに切り、それぞれの一端からドリルなどで中心方向の穴を３０ｃｍ程度の深さに掘る方法も可能である。そして、内部に中詰め材を詰め込んでからつなぎ合わせて一体化する。
【００２９】
このようにして製造した、内部に中詰め材が詰め込まれた人工営巣木２を、図１のように、生育している樹木１の幹または枝に沿わせて縛りつけ固定する。人工営巣木２を縛りつける高さは、約４ｍ以上が適している。また、人工営巣木２は、立木に枕を挟んだ状態で縛りつけることによって、鉛直方向に対し２０〜４０度程度傾けるのが、キツツキ類の営巣に好適である。あるいは、２０〜４０度程度傾いた立木なら、そのまま沿わせて縛りつけてもよい。
【００３０】
本発明の初期段階では、人工営巣木２に予め出入口をあけて、巣孔にノグチゲラを誘導することも考えたが、ノグチゲラが利用する前に他の鳥が利用してしまうので、以上のように出入口は開けないで、ノグチゲラ自身で開けて営巣できるようにした。
【００３１】
【実施例】
表１は、沖縄県国頭郡の国頭村と大宜味村の自然林において、本発明による人工営巣木２を高さ４ｍの位置で樹木に約３０度（鉛直方向に対して）の角度で縛りつけて固定した際の営巣実験結果である。表１中において、「掘りかけ」とは、巣の出入口のみを掘ったもの、「巣穴孔」とは巣孔を掘ったものである。
【００３２】
ノグチゲラによる人工営巣木２での夜間の就寝利用は１０例であった。中詰め材の種類別では、発泡スチロールが３例、バルサが１例、チップが４例、削り屑が１例、腐朽木チップが１例であった。つつき跡などを含めた利用痕跡では、すべてのタイプが利用されたといえる。
【００３３】
【表１】
0003779934.tif 000002
【００３４】
このように、本発明による、予め出入口を開けてない人工営巣木を用いると、ノグチゲラ自身で出入口を掘り、さらに内部の中詰め材を掘り出して営巣することが確認された。すなわち、人工的な営巣として良好な結果が得られた。
【００３５】
【発明の効果】
請求項１のように、天然の丸太の上端と下端との間の内部をくり抜いて空洞を形成してあると、外部と内部の空洞との間は、天然木と同じ材質の壁部になっているので、キツツキ類は、自身で出入口を掘ることになる。したがって、従来の巣箱のように、他の鳥が横取りして営巣するのを防止できる。なお、空洞の中にキツツキ類が自ら産座を形成し営巣できる。
【００３６】
請求項２のように、空洞の内部に予め中詰め材を詰め込んであると、自然の営巣木の内部の腐朽部を掘り出すような要領で中詰め材を掘り出して巣孔を作れるので、キツツキ類の習性に合致した人工営巣木となり、キツツキ類の本能を阻害する恐れもない。
【００３７】
請求項３のように、前記の空洞部の壁部に、キツツキ類が出入口を掘り易いような薄肉部を設けてあるので、キツツキ類はその本能によって、掘りやすい薄肉部を見つけて、容易に出入口を掘ることができる。また、壁部が薄肉部だけだと、経時的に劣化して強度が低下し、短寿命となるが、厚肉部も設けてあるので、強度が保持され、長期間の使用に耐えうる。
【００３８】
請求項４のように、空洞が形成された丸太が、生育している樹木の幹または枝の所定の高さに縛りつけて固定されている人工営巣木によると、キツツキ類にとって、人工営巣木が自然環境により近い状況で設置されているため、キツツキ類の保護と自然繁殖が効果的に実現できる。
【００３９】
請求項５のように、天然の丸太を二つ割りにした状態で内部をくり抜いて空洞を形成し、その内部に中詰め材を詰め込んだ後、元の丸太状に戻し一体化する方法によると、まず天然の丸太を二つ割りにするので、内部をくり抜いて空洞を形成したり、その内部に中詰め材を詰め込む作業が容易に行なえる。そして、貼り合わせて元の丸太の状態にするので、中詰め材の入った丸太状の人工営巣木を容易に製造できる。
【図面の簡単な説明】
【図１】  本発明による人工営巣木の使用状態を示す斜視図である。
【図２】  本発明による人工営巣木の詳細を示す図で、（１）は縦断面図、（２）は水平断面図である。
【図３】  本発明による人工営巣木の製造方法を示す図であり、（１）は平面図、（２）は（１）図におけるＡ−Ａ断面図である。
【符号の説明】
１  立木
２  人工営巣木
３  ロープ
４  天然の丸太
４１・４２  二つ割りにした半円柱状材
５  空洞
５１、５２  半円柱状材に掘った空洞
６  中詰め材
【図１】
0003779934.tif 000003
【図２】
0003779934.tif 000004
【図３】
0003779934.tif 000005